(57)【特許請求の範囲】
【請求項１】
便器の後部に設置されるベースプレートに取り付けられるカバーケースであって、
該カバーケースの少なくとも上面部、前面部及び左右の側面部を構成する上殻体と、
該カバーケースの前部の底面部を構成し、前記ベースプレートの下側に配置される底板部と
を有するカバーケースであって、
該カバーケースの前部において、該上殻体と底板部とが一連一体となっていることを特徴とするカバーケース。
【請求項２】
請求項１において、前記底板部は前記カバーケース底面部の前部にのみ設けられ、該カバーケース底面部の後部は開放部となっており、
前記上殻体の後面部は、該開放部に連なる開放口となっており、
該開放口に対しカバーケース後面を構成するバックプレートが着脱可能に取り付けられていることを特徴とするカバーケース。
【請求項３】
請求項１において、前記底板部は前記カバーケース底面部の前部にのみ設けられ、該カバーケース底面部の後部は開放部となっており、
前記上殻体の後面部は、該上殻体の側面部及び上面部と一連一体となっていることを特徴とするカバーケース。
【請求項４】
便器の後部に固定設置されるリヤベースプレートと、
該リヤベースプレートの前方側に配置されており、該リヤベースプレートに設けられた昇降装置によって昇降されるフロントベースプレートと、
該フロントベースプレートに取り付けられた請求項１ないし３のいずれか１項に記載のカバーケースと
を備えてなる便器上面設備であって、
該カバーケースの前記底板部が該フロントベースプレートの下側に配置されていることを特徴とする便器上面設備。
【請求項５】
請求項２に記載のカバーケースを備えた請求項４に記載の便器上面設備の製造方法であって、
前記バックプレートを取り外したカバーケースをフロントベースプレートの前方からフロントベースプレートに係合させた後、バックプレートが前記上殻体に取り付けられることにより該カバーケースが組み付けられたことを特徴とする便器上面設備の製造方法。
【請求項６】
請求項３に記載のカバーケースを備えた請求項４に記載の便器上面設備の製造方法であって、
前記フロントベースプレートを上昇限又はその近傍まで上昇させた状態において、前記カバーケースが前記フロントベースプレートに取り付けられたことを特徴とする便器上面設備の製造方法。
【請求項７】
請求項１ないし３のいずれか１項において、前記ベースプレートは、
便器の後部に固定設置されるリヤベースプレートと、
該リヤベースプレートの前方側に配置されており、該リヤベースプレートに設けられた昇降装置によって昇降されるフロントベースプレートとを備えており、
前記底板部は該フロントベースプレートの下側に配置されることを特徴とするカバーケース。
【請求項８】
請求項７において、前記底板部の前縁側を便鉢に臨ませるようにして設置されることを特徴とするカバーケース。
【発明の詳細な説明】
【技術分野】
【０００１】
本発明は、便器（洋風便器）の後部上面に設置される便座ボックス等の便器上面設備と、そのためのカバーケースに関する。
【背景技術】
【０００２】
洋風便器の上面に設置された便座ボックスあるいはタンクカバーなどの便器上面設備に便座を俯仰方向に回動可能に取り付けた便器設備が周知である。この便器上面設備の底面はベースプレートにて構成されており、ベースプレートの上に種々の機器が設置されている。
【０００３】
この便座ボックス等と洋風便器上面との間に尿などの汚れが染み込んで臭気の原因となり易い。そこで、便座ボックス等の少なくとも前部を洋風便器に対し上下動可能とし、洋風便器の清掃時に便座ボックスを便座と共に上方に移動（浮上）させるようにしたものが提案されている。
【０００４】
例えば、特開２００４−３２４１６８号公報（特許文献１）には、フロントベースプレートを昇降可能としたロータンクカバーが記載されている。特開２００９−２８５０６０号公報（特許文献２）には、フロントベースプレートを昇降可能とした便座ボックスが記載されている。
【０００５】
これらの便器上面設備にあっては、リヤベースプレートに浮上ユニットと通称される昇降用の駆動装置が設置されている。
【０００６】
上記特許文献２の００２９、００３１、００４１段落や、特開２００４−１４７８５８号公報（特許文献３）の００１７段落に記載されるように、便器上面設備のカバーケース及びベースプレートは、通常の場合、合成樹脂によって成形されている。特許文献３の００１８段落には、便座ボックスの合成樹脂製の無底形状の上半体が合成樹脂製の底部プレートに対しビス留めされることが記載されている。
【先行技術文献】
【特許文献】
【０００７】
【特許文献１】特開２００４−３２４１６８
【特許文献２】特開２００９−２８５０６０
【特許文献３】特開２００４−１４７８５８
【発明の概要】
【発明が解決しようとする課題】
【０００８】
特許文献３のように、無底形状の上半体と底部プレートとを係合させてビス留めした場合、上半体と底部プレートとの継目に対し汚れが染み込んで付着残留し易い。特に、カバーケースの前部は、便器の便鉢に臨むところから、大小便などの汚れが上記継目に付着残留し易く、臭気の原因となりがちである。
【０００９】
本発明は、上記従来の問題点を解決し、カバーケース前部の下縁付近に汚れが付着残留しにくいカバーケースと、このカバーケースを備えた便器上面設備を提供することを目的とする。
【課題を解決するための手段】
【００１０】
第１発明のカバーケースは、便器の後部に設置されるベースプレートに取り付けられるカバーケースであって、該カバーケースの少なくとも上面部、前面部及び左右の側面部を構成する上殻体と、該カバーケースの前部の底面部を構成し、前記ベースプレートの下側に配置される底板部とを有するカバーケースであって、該カバーケースの前部において、該上殻体と底板部とが一連一体となっていることを特徴とするものである。
【００１１】
この上殻体と底板部とは一体成形されていることが好ましい。
【００１２】
第１発明の一態様では、前記底板部は前記カバーケース底面部の前部にのみ設けられ、該カバーケース底面部の後部は開放部となっており、前記上殻体の後面部は、該開放部に連なる開放口となっており、該開放口に対しカバーケース後面を構成するバックプレートが着脱可能に取り付けられている。
【００１３】
第１発明の別の一態様では、前記底板部は前記カバーケース底面部の前部にのみ設けられ、該カバーケース底面部の後部は開放部となっており、前記上殻体の後面部は、該上殻体の側面部及び上面部と一連一体となっている。
【００１４】
第２発明の便器上面設備は、便器の後部に固定設置されるリヤベースプレートと、該リヤベースプレートの前方側に配置されており、該リヤベースプレートに設けられた昇降装置によって昇降されるフロントベースプレートと、該フロントベースプレートに取り付けられた上記第１発明のカバーケースとを備えてなる便器上面設備であって、該カバーケースの前記底板部が該フロントベースプレートの下側に配置されていることを特徴とするものである。
【００１５】
第２発明の便器上面設備の一態様では、前記バックプレートを取り外したカバーケースをフロントベースプレートの前方からフロントベースプレートに係合させた後、バックプレートが前記上殻体に取り付けられることにより該カバーケースが組み付けられる。
【００１６】
第２発明の便器上面設備の別の一態様では、前記フロントベースプレートを上昇限又はその近傍まで上昇させた状態において、後面部も一連一体となった前記カバーケースが前記フロントベースプレートに取り付けられる。
【発明の効果】
【００１９】
第１発明のカバーケースにあっては、少なくともカバーケース前部において、上殻体と底板部とが合成樹脂によって一体成形されるか又は溶着もしくは接着によって一連一体となっており、汚れが継目に染み込むことが防止される。
【００２０】
特に、上殻体と底板部とを一体成形することによって、両者間に継目が存在しないようになる。そのため、汚れが付着しても簡単な清掃によって除去することが可能となる。
【００２１】
カバーケース底面部の後部を開放部とし、カバーケース後部を開放口とし、該開放口にバックプレートを取り付ける構成とした場合、該開放口からバックプレートを取り外した状態のカバーケースを便器上面設備のベースプレートに対し前方から容易に係合させることができる。その後、該開放口に対しバックプレートを取り付ける。
【００２２】
カバーケース底面部の後部が開放部となっており、カバーケース後面部が上殻体の側面部及び上面部と一連一体となっているカバーケースをフロントベースプレートに取り付けるには、該フロントベースプレートを上昇限又はその近傍にまで上昇させておき、カバーケース開放部を通してフロントベースプレートをカバーケース内に差し込むようにしてフロントベースプレートにカバーケースを組み付けることができる。
【図面の簡単な説明】
【００２４】
【図１】実施の形態に係る便座ボックスの分解斜視図である。
【図２】実施の形態に係る便座ボックス用カバーケースの断面図である。
【図３】実施の形態に係る便座ボックス用カバーケースの断面図である。
【図４】実施の形態に係る便座ボックス用カバーケースの組み立て方法を示す断面図である。
【図５】実施の形態に係る便座ボックス用カバーケースの組み立て方法を示す断面図である。
【図６】実施の形態に係る便座ボックス用カバーケースの前端部分の断面図である。
【図７】実施の形態に係る便座ボックス用カバーケースの前端部分の断面図である。
【図８】実施の形態に係る便座ボックス用カバーケースの前端部分の断面図である。
【図９】実施の形態に係る便座ボックス用カバーケースの前端部分の断面図である。
【発明を実施するための形態】
【００２５】
以下、図面を参照して実施の形態について説明する。
【００２６】
［第１の実施の形態］
図１，２，４，６は第１の実施の形態に係る便器上面設備としての便座ボックスを示すものであり、図１は便座ボックスの分解斜視図、図２は図１のII−II線に沿う便座ボックス用カバーケースの断面図、図４はこの便座ボックスの組み立て方法を示す断面図、図６はこの便座ボックスの前部の拡大断面図である。
【００２７】
便座ボックス１の底部は、リヤベースプレート２と、このリヤベースプレート２の前部側に配置された昇降可能なフロントベースプレート３とによって構成されている。該フロントベースプレート３と共に昇降するように合成樹脂製のカバーケース４が該フロントベースプレート３に取り付けられている。
【００２８】
リヤベースプレート２には、昇降装置５のほか、温水洗浄ノズル６，７（シャワーノズル６、ビデノズル７）へ温水を供給するためのヒータ８及びポンプ９、部屋暖房ユニット１０、電源基板１１、制御回路基板１２、便鉢やトラップ部へ水を供給するためのバルブユニット（符号略）等が設けられている。
【００２９】
リヤベースプレート２は、合成樹脂製の板状部材であり、便座ボックス１の底面の後部を構成している。
【００３０】
図示は省略するが、昇降装置５は、リヤベースプレート２に固定された固定プレートと、該固定プレート上に設置された昇降用の駆動装置と、該駆動装置によって昇降される可動プレートと、可動プレートの昇降を案内すると共に、可動プレートの下降速度を緩速にするためのダンパ等を備えている。駆動装置は、上下方向に延設されたラックと、該ラックに噛合するピニオンと、該ピニオンを回転させるモータとを有する。この駆動装置は、温水洗浄便座用リモコン（図示略）に設けられた昇降スイッチを操作することにより動作する。
【００３１】
フロントベースプレート３は、合成樹脂製の板状部材であり、便座ボックス１の底面のうち前部を構成するものである。このフロントベースプレート３は、リヤベースプレート２の前縁から所定長さ（例えば５０〜１００ｍｍ程度）前方に延出している。
【００３２】
このフロントベースプレート３には、人体臀部を温水で洗浄するための温水洗浄ノズル６，７のほか、該ノズル６，７の前後進用モータや、便座を開閉させる便座用電動開閉ユニット１５、便蓋を開閉させる便蓋用電動開閉ユニット１６、人体臀部に向けて温風を吹き出してその乾燥を行う温風ファンユニット１７、便鉢内から臭気を含んだ空気を吸引して脱臭する脱臭ファン及び脱臭カートリッジ、着座センサ１８等が設けられている。図１の符号１９は、脱臭カートリッジ装着口を示している。
【００３３】
このフロントベースプレート３の後部が前記昇降装置５の可動プレート上に載置され、ボルト又はビスにより可動プレートに固定される。
【００３４】
カバーケース４は、平坦な上面部４ａと、該上面部４ａの前縁から垂下する垂下部４ｂと、該垂下部４ｂから前方へ膨出する膨出部４ｃと、該垂下部４ｂ及び膨出部４ｃの下端に連なり、前方へ斜め下り勾配にて延在した斜面部４ｄと、左右の側面部４ｅと、カバーケース４の底面前部を構成する底板部４ｆ（図２，４，６）とを有している。
【００３５】
膨出部４ｃの側面には、便座のヒンジ孔４ｈが設けられ、前面には着座センサ１８が係合する開口４ｊが設けられている。カバーケース４の左右の側面部４ｅの上部には、便蓋のヒンジ孔４ｉが設けられている。
【００３６】
底板部４ｆの前縁側には、図示は省略するが、温水洗浄ノズル６，７の通過用の開口と、温風吹出口と、脱臭吸込口とが設けられている。
【００３７】
図２，４の通り、カバーケース４の底面後部は、開放口２１となっている。また、この実施の形態では、カバーケース４の後面部も開放口２２となっており、開放口２１，２２は連続している。この後面開放口２２に対しバックプレート２３（図２）がビス、ボルト、平面ファスナ、係止爪機構（図示略）などにより着脱可能に取り付けられる。
【００３８】
このカバーケース４は、底板部４ｆも含めてポリプロピレン等の合成樹脂の射出成形により一体に形成されている。
【００３９】
従って、図６に示されるように、斜面部４ｄの前端から底板部４ｆにかけて継目は存在せず、斜面部４ｄの外から底板部４ｆの下面にかけて溝状部や筋状部なく連続している。そのため、便や水などがカバーケース４の前端部に掛かっても、継目に浸透することはなく、また拭き掃除により残らず除去することができる。
【００４０】
カバーケース４を装着して便座ボックス１を組み立てる手順について図４（ａ）〜（ｃ）を参照して説明する。なお、図４（ａ）〜（ｃ）の符号２５は、リヤベースプレート２上の各種機器を示している。
【００４１】
図４（ａ）の通り、バックプレート２３を取り付ける前のカバーケース４をフロントベースプレート３の前方から後方に向ってスライド移動させ、図４（ｂ）の通り、底板部４ｆをフロントベースプレート３の下側に配置する。そして、ビス、ボルト等によって底板部４ｆをフロントベースプレート３に固定する。なお、図４（ｂ）では、フロントベースプレート３を下降限に位置させているが、これよりも上位に位置させておいてもよい。
【００４２】
その後、カバーケース４にバックプレート２３を装着することにより、図４（ｃ）の通り、便座ボックス１が完成する。
【００４３】
この実施の形態では、図４（ａ）のように、バックプレート２３を取り外した状態のカバーケース４をベースプレート２，３に対し係合させるので、リヤベースプレート２の各種機器２５とカバーケース４の上面部４ａとの間隔が大きい。従って、機器２５は図示よりも高位置に設置されてもよい。
【００４４】
図４（ｃ）の通り、底板部４ｆの前縁側を便鉢３１に臨ませるようにして、この便座ボックス１を陶器などよりなる洋風便器３０の後部上面に設置し、ボルト３２によってリヤベースプレート２を便器３０に固定する。
【００４５】
なお、リヤベースプレート２を便器３０にボルト３２によって直に固定するのではなく、便座ボックス取付部材を便器３０にボルトによって固定しておき、この便座ボックス取付部材に対しリヤベースプレート２をボルト、ビス等によって取り付けるようにしてもよい。
【００４６】
このように構成された便座ボックス１を有する洋風便器設備において、リモコンの上昇スイッチを操作すると、駆動装置５のモータが正転し、フロントベースプレート３及びカバーケース４が上昇する。これにより、便座ボックス１で覆われていた洋風便器３０の上面部分が露出するので、この部分及びカバーケース４の底板部４ｆの下面を念入りに掃除することができる。
【００４７】
リモコンの下降スイッチを操作すると、駆動装置５のモータが逆転し、フロントベースプレート３及びカバーケース４が洋風便器３０上に降下した着底状態となる。
【００４８】
［第２の実施の形態］
図３，５を参照して後面部４ｒを一連一体に設けたカバーケース４Ａについて説明する。
【００４９】
この後面部４ｒは、カバーケース４Ａの上面部４ａと左右の側面部４ｅに連なっている。このカバーケース４Ａのその他の構成はカバーケース４と同一であり、図３において、その他の符号は図２と同一部分を示している。このカバーケース４Ａは、後面部４ｒも含めてポリプロピレン等の合成樹脂の射出成形により一体に成形されることが望ましい。
【００５０】
カバーケース４Ａの前部の断面は、図６の通り、カバーケース４と同一である。従って、このカバーケース４Ａにおいても、便や水が前端部に掛かっても、継目に浸透することはなく、また拭き掃除により残らず除去することができる。
【００５１】
このカバーケース４Ａをベースプレートに組み付けて便座ボックスを完成させるには、図５（ａ）のようにフロントベースプレート３を上昇限又はその近傍まで（好ましくは上昇限まで）上昇させておく。そして、カバーケース５Ａを若干前傾させた姿勢とし、開放口２１を通してフロントベースプレート３が底板部４ｆの上側に配置された図５（ｂ）の状態となるまでカバーケース４Ａを後方に移動させ、次いでカバーケース４Ａをベースプレート３にビス、ボルト等によって固定する。その後、フロントベースプレート３を下降させることにより、図５（ｃ）のように便座ボックス１Ａが構成される。なお、この図５（ｃ）に便座３５及び便蓋３６と便座ボックス１Ａとの位置関係を示している。便座３５及び便蓋３６は、図５（ｃ）の倒伏状態から上方に起立回動可能である。
【００５２】
図５（ａ）では、カバーケース５Ａを前傾させているが、後面部４ｒの長さを若干短くすれば、カバーケース５Ａを水平姿勢のままベースプレートに組み付けることができる。
【００５３】
上記実施の形態のカバーケース４，４Ａでは、図６の通り、底板部４ｆは斜面部４ｄ及び側面部４ｅなどと一体に成形されているが、図７のカバーケース４Ｂのように、底板部４ｆをカバーケース４Ｂのその他の本体部分とは別に成形しておき、振動溶着や接着剤などによって本体部分に固着させてもよい。この場合、図７のＷで示す位置に継目が表されるが、本体部分と底板部４ｆとが振動溶着や接着剤などによって固着されているので、便や水などが継目に染み込まない。
【００５４】
本発明では、図８のカバーケース４Ｃの通り、底板部４ｆと本体部とを別個に設けておき、底板部４ｆを本体部に対し接着剤、ビス留め、係止爪などにより組み付けた後、本体部と底板部４ｆとの継ぎ目にコーキング材４０などの封止材を充填してもよい。また、この封止材を充填する代りに、又はこの封止材の充填と共に、図９のように継目を覆うシール用の合成樹脂テープ４１を貼着してもよい。
【００５５】
上記各実施の形態では、カバーケースとして便座ボックスが示されているが、ロータンクカバーなどであってもよい。
【符号の説明】
【００５６】
１  便座ボックス
２  リヤベースプレート
３  フロントベースプレート
４，４Ａ，４Ｂ，４Ｃ，４Ｄ  カバーケース
４ａ  上面部
４ｄ  斜面部
４ｆ  底板部
４ｒ  後面部
５  昇降装置
６，７  温水洗浄ノズル
２１，２２  開放口
２３  バックプレート
３０  便器
【図１】
0006019557.tif 000002
【図２】
0006019557.tif 000003
【図３】
0006019557.tif 000004
【図４】
0006019557.tif 000005
【図５】
0006019557.tif 000006
【図６】
0006019557.tif 000007
【図７】
0006019557.tif 000008
【図８】
0006019557.tif 000009
【図９】
0006019557.tif 000010